(57)【要約】【課題】従来の技術による諸問題を解決するため動画表示方法を提供する。【解決手段】液晶表示パネルの動画表示方法は、液晶表示パネルで第一画像を表示し、液晶表示パネルで第一画像を表示した後に白画像または灰色画像を表示し、液晶表示パネルで白画像または灰色画像を表示した後に第一画像に続く第二画像を表示するステップからなる。【選択図】図２
2007226166.tif 000002
【特許請求の範囲】
【請求項１】
液晶表示パネルで第一画像を表示し、
液晶表示パネルで第一画像を表示した後に白画像または灰色画像を表示し、
液晶表示パネルで白画像または灰色画像を表示した後に第一画像に続く第二画像を表示するステップからなることを特徴とする液晶表示パネルの動画表示方法。
【請求項２】
前記第一画像を表示するステップは、フレーム周期の第一タイムフレームに第一画像を表示し、前記白画像または灰色画像を表示するステップは、フレーム周期の第二タイムフレームに白画像または灰色画像を表示することを特徴とする請求項１記載の動画表示方法。
【請求項３】
前記フレーム周期の第一タイムフレームの時間長が該フレーム周期の第二タイムフレームの時間長と同一であることを特徴とする請求項２記載の動画表示方法。
【請求項４】
前記白画像または灰色画像を表示するステップは、１または１以上の白画面を表示し、もしくは１または１以上の灰色画面を表示することを特徴とする請求項１記載の動画表示方法。
【請求項５】
前記第一画像を表示するステップは、１または１以上の画面を表示することを特徴とする請求項１記載の動画表示方法。
【請求項６】
前記第二画像を表示するステップは、１または１以上の画面を表示することを特徴とする請求項１記載の動画表示方法。
【請求項７】
連続する画面のいずれの二つの間にも第一固定間隔時間を有する複数の連続画面からなる動画を提供し、
連続する画面のいずれの二つの間にも第二固定間隔時間を有する連続画面の間に表示される複数の白画像または複数の灰色画像を提供するステップからなる動画表示方法。
【請求項８】
前記第一固定間隔時間が第二固定間隔時間に等しいことを特徴とする請求項７記載の動画表示方法。
【請求項９】
前記第一固定間隔時間が第二固定間隔時間より長いことを特徴とする請求項７記載の動画表示方法。
【請求項１０】
前記白画像が１枚の白画面で構成されることを特徴とする請求項７記載の動画表示方法。
【請求項１１】
前記白画像が複数の白画面で構成されることを特徴とする請求項７記載の動画表示方法。
【請求項１２】
前記複数の白画面のいずれの二つの間にも第三固定間隔時間が挟まれていることを特徴とする請求項１１記載の動画表示方法。
【請求項１３】
前記第二固定間隔時間が第三固定間隔時間より長いことを特徴とする請求項１２記載の動画表示方法。
【請求項１４】
前記灰色画像が１枚の灰色画面で構成されることを特徴とする請求項７記載の動画表示方法。
【請求項１５】
前記灰色画像が複数の灰色画面で構成されることを特徴とする請求項７記載の動画表示方法。
【請求項１６】
前記灰色画面のいずれの二つの間にも第三固定間隔時間が挟まれていることを特徴とする請求項１１記載の動画表示方法。
【請求項１７】
前記第二固定間隔時間が第三固定間隔時間より長いことを特徴とする請求項１６記載の動画表示方法。
【発明の詳細な説明】
【技術分野】
【０００１】
この発明は液晶表示器の表示方法に関し、特に液晶表示器の動画表示方法に関する。
【背景技術】
【０００２】
薄型、低電力消費及び低輻射を特長とした液晶パネルはノートブックパソコンやＰＤＡ（パーソナルデジタルアシスタント）などの携帯型デジタル製品に幅広く利用され、デスクトップパソコン用のＣＲＴモニターに取って代わりつつある。液晶分子の特性に鑑み、画像データを切り替えるとき、液晶分子の配向を変更しなければならないので、画面に遅延が生じてくる。特に液晶表示器で動画を表示する際、このような画面遅延が顕著となる。
【０００３】
液晶表示器の画面遅延を改善する最も有効な方法は液晶素材の応答速度を向上させることである。しかし、液晶素材の応答速度の向上には限界があり、その代わりに一般は黒画像挿入技術によりフレーム周期ごとに黒い画像を挿入し、ＣＲＴに類似した高速パルス変調効果を生じさせる。それを見ると、人間はこのようなちらつきを自動的に除去し、残った画像を組み合わせる。したがって、画面遅延の視覚的影響は軽減される。
【０００４】
図１を参照する。図１は液晶表示器の画面遅延を改善するための従来の黒画像挿入法を表す説明図である。図１によれば、画面Ｐ１−Ｐｎはそれぞれ液晶表示パネルが時点Ｔ１−Ｔｎに表示する画面を示す。画面Ｂ１−Ｂｎはいずれも黒画面であり、時点Ｔ１−Ｔｎのうち隣り合った時点はフレーム周期Ｆ１−Ｆｎを定める。液晶表示器の画面遅延を改善すべく、従来の技術では通常画像を表示するフレーム周期とフレーム周期の間に黒い画面を差し込む方法が開発されている。まずフレーム周期Ｆ１−Ｆｎのそれぞれを二つのサブフレーム周期Ｆ１ａ−ＦｎａとＦ１ｂ−Ｆｎｂに分け、サブフレーム周期Ｆ１ａ−Ｆｎａの開始時点をＴ１−Ｔｎとし、サブフレーム周期Ｆ１ｂ−Ｆｎｂの開始時点をＴ１’−Ｔｎ’とする。続いてサブフレーム周期Ｆ１ａ−Ｆｎａに通常表示画面Ｐ１−Ｐｎを出力し、サブフレーム周期Ｆ１ｂ−Ｆｎｂに黒画面Ｂ１−Ｂｎを出力する。
【０００５】
図１に示される従来の技術は液晶表示器の画面遅延を改善できるが、フレーム周期ごとに黒画面を表示するサブフレーム周期を分けなければならないので、視覚上液晶表示パネルは暗くなる。すなわち、黒画面Ｂ１−Ｂｎが挟まれているので、画面Ｐ１−Ｐｎは暗く見えることである。したがって、画面遅延の問題が改善されるとはいえ、従来の技術は、液晶表示器の視覚上の輝度低減という不可避の欠点を有する。
【発明の開示】
【発明が解決しようとする課題】
【０００６】
この発明は前述の問題を解決するための動画表示方法を提供することを課題とする。
【課題を解決するための手段】
【０００７】
この発明は液晶表示パネルの動画表示方法を提供する。該方法は、液晶表示パネルで第一画像を表示し、液晶表示パネルで第一画像を表示した後に白画像または灰色画像を表示し、液晶表示パネルで白画像または灰色画像を表示した後に第一画像に続く第二画像を表示するステップからなる。
【０００８】
この発明はその他の動画表示方法をも提供する。該方法は、連続する画面のいずれの二つの間にも第一固定間隔時間を有する複数の連続画面からなる動画を提供し、連続する画面のいずれの二つの間にも第二固定間隔時間を有する連続画面の間に表示される複数の白画像または複数の灰色画像を提供するステップからなる。
【発明の効果】
【０００９】
黒画面を挿入する従来の技術と異なり、この発明は白画面または灰色画面を差し込むことによって液晶表示器の画面遅延を改善する方法を掲示する。この発明による方法は動画の表示品質を向上させるのみならず、液晶表示器の視覚上輝度を低減させない。
【発明を実施するための最良の形態】
【００１０】
かかる方法の特徴を詳述するために、具体的な実施例を挙げ、図を参照して以下に説明する。
【実施例１】
【００１１】
図２を参照する。図２は液晶表示器の画面遅延を改善するためのこの発明の実施例１による白画像挿入法を表す説明図である。図２によれば、画面Ｐ１−Ｐｎはそれぞれ液晶表示パネルが時点Ｔ１−Ｔｎに表示する画面を示し、画面Ｗ１−Ｗｎはいずれも白画面であり、時点Ｔ１−Ｔｎのうち隣り合った時点はフレーム周期Ｆ１−Ｆｎを定める。液晶表示器の画面遅延を改善すべく、この発明は通常画像を表示するフレーム周期とフレーム周期の間に白い画面を差し込む方法を掲示している。まずフレーム周期Ｆ１−Ｆｎのそれぞれを二つのサブフレーム周期Ｆ１ａ−ＦｎａとＦ１ｂ−Ｆｎｂに分け、サブフレーム周期Ｆ１ａ−Ｆｎａの開始時点をＴ１−Ｔｎとし、サブフレーム周期Ｆ１ｂ−Ｆｎｂの開始時点をＴ１’−Ｔｎ’とする。続いてサブフレーム周期Ｆ１ａ−Ｆｎａに通常表示画面Ｐ１−Ｐｎを出力し、サブフレーム周期Ｆ１ｂ−Ｆｎｂに白画面Ｗ１−Ｗｎを出力する。そうすれば、差し込まれた白画面Ｗ１−Ｗｎは液晶表示器の視覚上の輝度を影響せずに、画面遅延の問題を解決できる。
【００１２】
この発明の実施例１では、画面Ｐ１−Ｐｎは動画などの連続した画面である。画面Ｐ１−Ｐｎのうち隣り合った画面の間隔時間は、白画面Ｗ１−Ｗｎのうち隣り合った白画面の間隔時間に等しいかまたはそれより大きい。言い換えれば、Ｆ１≧（Ｆ１ｂ＋Ｆ２ａ）。
【００１３】
図３を参照する。図３はこの発明による液晶表示器３０のブロック図である。液晶表示器３０は液晶表示パネル４０と、ゲートドライバー３１と、ソースドライバー３２と、ガンマ回路３４と、タイミングコントローラー３６と、直流／直流変換器３８を含む。液晶表示器３０の操作は当業者に周知なので、ここでは説明を省略する。白画像挿入法を掲示したこの発明による方法はタイミングコントローラー３６で各フレーム周期のデータ出力を制御し、それにより液晶表示器３０はサブフレーム周期Ｆ１ａ−Ｆｎａに通常表示画面Ｐ１−Ｐｎを出力し、サブフレーム周期Ｆ１ｂ−Ｆｎｂに白画面Ｗ１−Ｗｎを出力する。
【００１４】
図４と図５を参照する。図４は通常画面表示状態にあるこの発明による液晶表示器３０の液晶表示パネル４０を表す説明図であり、図５は白画面表示状態にあるこの発明による液晶表示器３０の液晶表示パネル４０を表す説明図である。液晶表示パネル４０は、相互に平行した複数のデータラインＤ１−Ｄｍと相互に平行した複数のスキャンラインＳ１−Ｓｎからなるピクセルマトリックスを含む。ピクセルマトリックスのうち各ピクセルユニットはそれぞれ、スイッチとして動作する薄膜トランジスター（ＴＦＴ）ＳＷ１１−ＳＷｎｍと、液晶コンデンサーＣＬＣ１１−ＣＬＣｎｍと、保存コンデンサーＣｓ１−Ｃｓｎｍなどの素子及び電圧源ＶｃｏｍとＶｃｓを含む。データラインＤ１−ＤｍとスキャンラインＳ１−Ｓｎは液晶表示器３０のソースドライバー３２とゲートドライバー３１にそれぞれ接している。
【００１５】
フレーム周期Ｆ１−Ｆｎのうちサブフレーム周期Ｆ１ａ−Ｆｎａでは、液晶表示器３０は画面Ｐ１−Ｐｎに関連する信号を受信した後、ゲートドライバー３１でデータ書き込み予定のＴＦＴスイッチをオンにし、更にソースドライバー３２で受信画像データを相応のデータライン電圧Ｘ１−Ｘｍに変換し、それをデータラインＤ１−Ｄｍを通してオンにされたピクセルユニットに印加する。そうすれば、サブフレーム周期Ｆ１ａ−Ｆｎａには画面Ｐ１−Ｐｎが表示される（図４）。
【００１６】
フレーム周期Ｆ１−Ｆｎのうちサブフレーム周期Ｆ１ｂ−Ｆｎｂでは、液晶表示器３０はゲートドライバー３１ですべてのＴＦＴスイッチをオンにし、更にソースドライバー３２で白画像に対応するデータライン電圧Ｙ１−ＹｍをデータラインＤ１−Ｄｍを通してオンにされたピクセルユニットに印加する。そうすれば、サブフレーム周期Ｆ１ｂ−Ｆｎｂには白画面Ｗ１−Ｗｎが表示される（図５）。
【実施例２】
【００１７】
この発明の実施例１では、通常画像を表示するフレーム周期とフレーム周期の間には白い画面が差し込まれている。もっともこの発明によれば、所定のフレーム周期が経過してから白い画面を差し込むことも可能である。図６を参照する。図６は液晶表示器の画面遅延を改善するためのこの発明の実施例２による白画像挿入法を表す説明図である。図６によれば、画面Ｐ１−Ｐ２ｎ＋１はそれぞれ液晶表示パネルが時点Ｔ１−Ｔ２ｎ＋１に表示する画面を示し、画面Ｗ１−Ｗｎはいずれも白画面であり、時点Ｔ１−Ｔ２ｎ＋１のうち隣り合った時点はフレーム周期Ｆ１−Ｆ２ｎを定める。液晶表示器の画面遅延を改善すべく、この発明の実施例２は通常画像を表示するフレーム周期の二つごとに白い画面を差し込む方法を掲示している。まずフレーム周期Ｆ１−Ｆ２ｎ＋１のうち偶数フレーム周期を二つのサブフレーム周期Ｆ２ａ−Ｆ２ｂ、Ｆ４ａ−Ｆ４ｂ、…Ｆ２ｎａ−Ｆ２ｎｂに分け、サブフレーム周期Ｆ２ａ、Ｆ４ａ、…Ｆ２ｎａの開始時点をＴ２、Ｔ４、…Ｔ２ｎとし、サブフレーム周期Ｆ２ｂ−Ｆ２ｎｂの開始時点をＴ２’、Ｔ４’、…Ｔ２ｎ’とする。続いて奇数サブフレーム周期Ｆ１、Ｆ３、…Ｆ２ｎ−１に通常表示画面Ｐ１、Ｐ３、…Ｐ２ｎ＋１を出力し、偶数フレーム周期のうちサブフレーム周期Ｆ２ａ、Ｆ４ａ、…Ｆ２ｎａに通常表示画面Ｐ２、Ｐ４、…Ｐ２ｎを出力し、偶数フレーム周期のうちサブフレーム周期Ｆ２ｂ、Ｆ４ｂ、…Ｆ２ｎｂに白画面Ｗ１−Ｗｎを出力する。そうすれば、差し込まれた白画面Ｗ１−Ｗｎは液晶表示器の視覚上の輝度を影響せずに、画面遅延の問題を解決できる。
【実施例３】
【００１８】
この発明の実施例１と実施例２では、通常画像を表示するフレーム周期とフレーム周期の間に白い画面を差し込むか、または所定のフレーム周期が経過してから白い画面を差し込む方法を掲示している。もっともこの発明によれば、複数の白画面を含んだ白画像を差し込むことも可能である。図７を参照する。図７は液晶表示器の画面遅延を改善するためのこの発明の実施例３による白画像挿入法を表す説明図である。図７によれば、画面Ｐ１−Ｐｎはそれぞれ液晶表示パネルが時点Ｔ１−Ｔｎに表示する画面を示し、時点Ｔ１−Ｔｎのうち隣り合った時点はフレーム周期Ｆ１−Ｆｎを定める。白画像ＷＩ１−ＷＩｎはいずれも二つの白画面を含み、隣り合った白画像の間隔時間はＡ１−Ａｎである。Ａ１−Ａｎを一定の値と設定することが可能である。そうすれば、差し込まれた白画像ＷＩ１−ＷＩｎは液晶表示器の視覚上の輝度を影響せずに、画面遅延の問題を解決できる。
【００１９】
この発明の実施例３では、画面Ｐ１−Ｐｎは動画などの連続した画面である。画面Ｐ１−Ｐｎのうち隣り合った画面の間隔時間は、白画像ＷＩ１−ＷＩｎのうち隣り合った白画像の間隔時間に等しいかまたはそれより大きいである。言い換えれば、Ｆ１≧（Ｆ１ｂ＋Ｆ２ａ）。白画像ＷＩ１−ＷＩｎは２つまたはそれ以上の白画面を含み、隣り合った白画面の間隔時間は、それを含んだ隣り合った白画像の間隔時間より小さい。言い換えれば、Ａ１＜（Ｆ１ｂ＋Ｆ２ａ）。
【実施例４】
【００２０】
図８を参照する。図８は液晶表示器の画面遅延を改善するためのこの発明の実施例４による灰色画像挿入法を表す説明図である。図８によれば、画面Ｐ１−Ｐｎはそれぞれ液晶表示パネルが時点Ｔ１−Ｔｎに表示する画面を示し、画面Ｇ１−Ｇｎはいずれも灰色画面であり、時点Ｔ１−Ｔｎのうち隣り合った時点はフレーム周期Ｆ１−Ｆｎを定める。実施例１と異なり、実施例４は通常画像を表示するフレーム周期とフレーム周期の間に灰色画面を差し込む方法を掲示している。まずフレーム周期Ｆ１−Ｆｎごとに二つのサブフレーム周期Ｆ１ａ−ＦｎａとＦ１ｂ−Ｆｎｂに分け、サブフレーム周期Ｆ１ａ−Ｆｎａの開始時点をＴ１−Ｔｎとし、サブフレーム周期Ｆ１ｂ−Ｆｎｂの開始時点をＴ１’−Ｔｎ’とする。続いてサブフレーム周期Ｆ１ａ−Ｆｎａに通常表示画面Ｐ１−Ｐｎを出力し、サブフレーム周期Ｆ１ｂ−Ｆｎｂに灰色画面Ｇ１−Ｇｎを出力する。そうすれば、差し込まれた灰色画面Ｇ１−Ｇｎは液晶表示器の視覚上の輝度を影響せずに、画面遅延の問題を解決できる。
【実施例５】
【００２１】
図９を参照する。図９は液晶表示器の画面遅延を改善するためのこの発明の実施例５による灰色画像挿入法を表す説明図である。実施例２と異なり、実施例５は通常画像を表示するフレーム周期の二つごとに灰色画面を差し込む方法を掲示している。図９によれば、画面Ｐ１−Ｐ２ｎ＋１はそれぞれ液晶表示パネルが時点Ｔ１−Ｔ２ｎ＋１に表示する画面を示し、画面Ｇ１−Ｇｎはいずれも灰色画面であり、時点Ｔ１−Ｔ２ｎ＋１のうち隣り合った時点はフレーム周期Ｆ１−Ｆ２ｎを定める。まずフレーム周期Ｆ１−Ｆ２ｎ＋１のうち偶数フレーム周期を二つのサブフレーム周期Ｆ２ａ−Ｆ２ｂ、Ｆ４ａ−Ｆ４ｂ、…Ｆ２ｎａ−Ｆ２ｎｂに分け、サブフレーム周期Ｆ２ａ、Ｆ４ａ、…Ｆ２ｎａの開始時点をＴ２、Ｔ４、…Ｔ２ｎとし、サブフレーム周期Ｆ２ｂ−Ｆ２ｎｂの開始時点をＴ２’、Ｔ４’、…Ｔ２ｎ’とする。続いて奇数サブフレーム周期Ｆ１、Ｆ３、…Ｆ２ｎ−１に通常表示画面Ｐ１、Ｐ３、…Ｐ２ｎ＋１を出力し、偶数フレーム周期のうちサブフレーム周期Ｆ２ａ、Ｆ４ａ、…Ｆ２ｎａに通常表示画面Ｐ２、Ｐ４、…Ｐ２ｎを出力し、偶数フレーム周期のうちサブフレーム周期Ｆ２ｂ、Ｆ４ｂ、…Ｆ２ｎｂに灰色画面Ｇ１−Ｇｎを出力する。そうすれば、差し込まれた灰色画面Ｇ１−Ｇｎは液晶表示器の視覚上の輝度を影響せずに、画面遅延の問題を解決できる。
【実施例６】
【００２２】
図１０を参照する。図１０は液晶表示器の画面遅延を改善するためのこの発明の実施例６による灰色画像挿入法を表す説明図である。実施例３と異なり、実施例６は通常画面を表示するフレーム周期とフレーム周期の間に複数の灰色画面を含んだ灰色画像を差し込む方法を掲示している。図１０によれば、画面Ｐ１−Ｐｎはそれぞれ液晶表示パネルが時点Ｔ１−Ｔｎに表示する画面を示し、時点Ｔ１−Ｔｎのうち隣り合った時点はフレーム周期Ｆ１−Ｆｎを定める。灰色画像ＧＩ１−ＧＩｎはいずれも二つの灰色画面を含み、隣り合った灰色画像の間隔時間はＡ１−Ａｎである。Ａ１−Ａｎを一定の値と設定することが可能である。そうすれば、差し込まれた灰色画像ＧＩ１−ＧＩｎは液晶表示器の視覚上の輝度を影響せずに、画面遅延の問題を解決できる。
【００２３】
なお、前記実施例１から実施例６では、フレーム周期にある二つのサブフレーム周期は同一または相違した時間長を有する。
【００２４】
以上はこの発明に好ましい実施例であって、この発明の実施の範囲を限定するものではない。よって、当業者のなし得る修正、もしくは変更であって、この発明の精神の下においてなされ、この発明に対して同等の効果を有するものは、いずれもこの発明の特許請求の範囲に属するものとする。
【産業上の利用可能性】
【００２５】
この発明による方法は動画の表示品質を向上させるのみならず、液晶表示器の視覚上輝度を低減させない。
【図面の簡単な説明】
【００２６】
【図１】従来の黒画像挿入法を表す説明図である。
【図２】この発明の実施例１による白画像挿入法を表す説明図である。
【図３】この発明による液晶表示器のブロック図である。
【図４】通常画面表示状態にあるこの発明による液晶表示器の液晶表示パネルを表す説明図である
【図５】白画面表示状態にあるこの発明による液晶表示器の液晶表示パネルを表す説明図である。
【図６】この発明の実施例２による白画像挿入法を表す説明図である。
【図７】この発明の実施例３による白画像挿入法を表す説明図である。
【図８】この発明の実施例４による灰色画像挿入法を表す説明図である。
【図９】この発明の実施例５による灰色画像挿入法を表す説明図である。
【図１０】この発明の実施例６による灰色画像挿入法を表す説明図である。
【符号の説明】
【００２７】
３０                            液晶表示器
３１                            ゲートドライバー
３２                            ソースドライバー
３４                            ガンマ回路
３６                            タイミングコントローラー
３８                            直流／直流変換器
４０                            液晶表示パネル
Ａ１−Ａｎ                      間隔時間
Ｂ１−Ｂｎ                      黒画面
ＣＬＣ１１−ＣＬＣｎｍ          液晶コンデンサー
Ｃｓ１−Ｃｓｎｍ                保存コンデンサー
Ｄ１−Ｄｍ                      データライン
Ｆ１−Ｆ２ｎ＋１                フレーム周期
Ｆ１ａ−Ｆｎａ、Ｆ１ｂ−Ｆｎｂ、サブフレーム周期
Ｆ２ａ−Ｆ２ｎａ、Ｆ２ｂ−Ｆ２ｎｂ
Ｇ１−Ｇｎ                      灰色画面
ＧＩ１−ＧＩｎ                  灰色画像
Ｐ１−Ｐ２ｎ＋１                画面
Ｓ１−Ｓｎ                      スキャンライン
ＳＷ１１−ＳＷｎｍ              ＴＦＴスイッチ
Ｔ１−Ｔ２ｎ＋１、Ｔ１’−Ｔ２ｎ＋１’  時点
Ｖｃｏｍ、Ｖｃｓ                電圧源
Ｗ１−Ｗｎ                      白画面
ＷＩ１−ＷＩｎ                  白画像
Ｘ１−Ｘｍ、Ｙ１−Ｙｍ          データライン電圧
【図１】
2007226166.tif 000003
【図２】
2007226166.tif 000004
【図３】
2007226166.tif 000005
【図４】
2007226166.tif 000006
【図５】
2007226166.tif 000007
【図６】
2007226166.tif 000008
【図７】
2007226166.tif 000009
【図８】
2007226166.tif 000010
【図９】
2007226166.tif 000011
【図１０】
2007226166.tif 000012